(57)【要約】【課題】余分な練り歯磨きがブラシの部分に残存するのを防止して、歯磨き後に洗浄して、簡単かつ容易に、しかも綺麗に余分の練り歯磨きを除去する。【解決手段】歯ブラシは、先端にブラシ１６を固定している脱着ブラシ部１を、本体部２に脱着できるように連結している。本体部２は、内部の充填室３に練り歯磨き２０を充填している。脱着ブラシ部１は、充填室３の開口部６とブラシ部１５とに連通する排出路１７を内部に設けている。本体部２は、充填室３の練り歯磨き２０を押し出すピストン６を備える。ピストン６は、弾性的に伸縮するコイルスプリング１０を介して本体部２に連結している。ピストン６が押されると、練り歯磨き２０が脱着ブラシ部１のブラシ部１５に押し出され、ピストン６の押圧を解除する状態では、コイルスプリング１０がピストン６を復帰位置に後退させて、ブラシ部１５から押し出した余分の練り歯磨き２０を吸入するようにしている。【選択図】　図３
0003097948.tif 000002
【実用新案登録請求の範囲】
【請求項１】
先端にブラシ（１６）を固定している脱着ブラシ部（１）と、この脱着ブラシ部（１）を脱着できるように連結すると共に、内部に練り歯磨き（２０）を充填する充填室（３）を設けている本体部（２）とを備えており、脱着ブラシ部（１）と本体部（２）とが以下の全ての構成を有することを特徴とする歯ブラシ。
（ａ）　本体部（２）は、充填室（３）の開口部（３Ａ）を先端に設けており、本体部（２）に連結される脱着ブラシ部（１）は、充填室（３）の開口部（３Ａ）に連通する排出路（１７）を内部に設けており、この排出路（１７）を先端に設けているブラシ部（１５）まで延長している。
（ｂ）　本体部（２）は、内部に充填室（３）を設けているシリンダー（４）と、このシリンダー（４）内に往復運動できるように配設されて、充填室（３）に充填している練り歯磨き（２０）を押し出すピストン（６）とを備える。
（ｃ）　ピストン（６）は、先端を充填室（３）に配設して、後端を本体部（２）の後端まで延長している。
（ｄ）　ピストン（６）は、弾性的に伸縮するコイルスプリング（１０）を介して本体部（２）に連結されている。
（ｅ）　ピストン（６）の後端が押されると、充填室（３）に充填している練り歯磨き（２０）が、脱着ブラシ部（１）の排出路（１７）を通過してブラシ部（１５）に押し出され、ピストン（６）の押圧を解除する状態では、コイルスプリング（１０）がピストン（６）を復帰位置に後退させて、ブラシ部（１５）から押し出した余分の練り歯磨き（２０）を吸入するようにしている。
【請求項２】
本体部（２）が、充填室（３）を内側に設けているシリンダー（４）の外側に、シリンダー（４）よりも後端に突出している外筒（５）を配設しており、この外筒（５）にシリンダー（４）を脱着できるように挿入しており、ピストン（６）の後端を外筒（５）の後端まで延長している請求項１に記載される歯ブラシ。
【請求項３】
シリンダー（４）の後端に、ピストン（６）の後退を停止させるストッパ部（１１）を設けている請求項２に記載される歯ブラシ。
【請求項４】
脱着ブラシ部（１）の外側に、外筒（５）と同じ外形のキャップ（１９）を脱着できるように被着している請求項１に記載される歯ブラシ。
【考案の詳細な説明】
【０００１】
【考案の属する技術分野】
本考案は、練り歯磨きを収納している歯ブラシに関する。
【０００２】
【従来の技術】
練り歯磨きを収納している歯ブラシは、携帯に便利で、いつでも何処でも好きなときに歯磨きできる特長がある。この構造の歯ブラシは、たとえば以下の特許文献１〜３に記載される。
【０００３】
【特許文献１】
特開平１１−１７８６４４号公報
【特許文献２】
特開２０００−３００３４９号公報
【特許文献３】
特開平８−２１４９４９号公報
【０００４】
特許文献１の公報に記載される歯ブラシは、図１に示すように、柄３０の部分に、練り歯磨きを充填する蛇腹容器３１を設けている。蛇腹容器３１は、下端の両側に突起３２を設けている。柄３０である本体の内面には、螺旋状の溝３３を設けている。この溝３３に沿って蛇腹容器３１の突起３２を移動させると、蛇腹の下端が柄３０の先端に向かって移動して、収納している練り歯磨きが押し出される。
【０００５】
特許文献２の公報にも柄の部分に練り歯磨きを充填して、使用するときに絞り出す歯ブラシが記載される。また、特許文献３の公報に記載される歯ブラシは、柄の部分に流動性のある歯磨き剤や液体歯磨きを充填する構造が記載される。
【０００６】
【考案が解決しようとする課題】
これ等の公報に記載される歯ブラシは、柄の内部に歯磨き剤を充填している。このため、練り歯磨きを充填している歯磨きチューブ等を歯ブラシと一緒に携帯することなく、歯ブラシのみを使用して綺麗に歯磨きできる。しかしながら、特許文献１〜３の公報に記載される歯ブラシは、使用するときにブラシの部分に押し出した歯磨き剤が、ブラシに残存して不衛生になる欠点があった。さらに、ブラシの内部に押し出された歯磨き剤は、綺麗に洗浄するのに手間がかかり、簡単に除去できない欠点がある。さらに、押し出された練り歯磨きが、ブラシの部分に設けている排出口で硬化すると、次に押し出すときにスムーズに排出できなくなる欠点もある。
【０００７】
本考案は、このような欠点を解決することを目的に開発されたものである。本考案の重要な目的は、余分な練り歯磨きがブラシの部分に残存することがなく、歯磨き後に洗浄して、簡単かつ容易に、しかも綺麗に余分の練り歯磨きを除去できる歯ブラシを提供することにある。
また、練り歯磨きが排出口の近傍で硬化するのを防止して、常にスムーズに練り歯磨きを押し出しできる歯ブラシを提供することにある。
【０００８】
【課題を解決するための手段】
本考案の歯ブラシは、先端にブラシ１６を固定している脱着ブラシ部１と、この脱着ブラシ部１を脱着できるように連結すると共に、内部に練り歯磨き２０を充填する充填室３を設けている本体部２とを備える。さらに、本考案の歯ブラシは、脱着ブラシ部１と本体部２とが以下の全ての構成を有することを特徴とする。
（ａ）　本体部２は、充填室３の開口部３Ａを先端に設けており、本体部２に連結される脱着ブラシ部１は、充填室３の開口部３Ａに連通する排出路１７を内部に設けており、この排出路１７を先端に設けているブラシ部１５まで延長している。
（ｂ）　本体部２は、内部に充填室３を設けているシリンダー４と、このシリンダー４内に往復運動できるように配設されて、充填室３に充填している練り歯磨き２０を押し出すピストン６とを備える。
（ｃ）　ピストン６は、先端を充填室３に配設して、後端を本体部２の後端まで延長している。
（ｄ）　ピストン６は、弾性的に伸縮するコイルスプリング１０を介して本体部２に連結されている。
（ｅ）　ピストン６の後端が押されると、充填室３に充填している練り歯磨き２０が、脱着ブラシ部１の排出路１７を通過してブラシ部１５に押し出され、ピストン６の押圧を解除する状態では、コイルスプリング１０がピストン６を復帰位置に後退させて、ブラシ部１５から押し出した余分の練り歯磨き２０を吸入するようにしている。
【０００９】
本体部２は、充填室３を内側に設けているシリンダー４の外側に、シリンダー４よりも後端に突出している外筒５を配設することができる。この本体部２は、外筒５にシリンダー４を脱着できるように挿入して、ピストン６の後端を外筒５の後端まで延長することができる。さらに、本体部２は、シリンダー４の後端に、ピストン６の後退を停止させるストッパ部１１を設けて、ピストン６を所定の位置まで後退させることができる。さらに、本考案の歯ブラシは、脱着ブラシ部１の外側に、外筒５と同じ外形のキャップ１９を脱着できるように被着することができる。このように、キャップ１９を被着する歯ブラシは、練り歯磨き２０の乾燥、硬化を極めて有効に防止できる特長がある。
【００１０】
【考案の実施の形態】
以下、本考案の実施例を図面に基づいて説明する。ただし、以下に示す実施例は、本考案の技術思想を具体化するための歯ブラシを例示するものであって、本考案は歯ブラシを下記のものに特定しない。
【００１１】
さらに、この明細書は、実用新案登録請求の範囲を理解し易いように、実施例に示される部材に対応する番号を、「実用新案登録請求の範囲の欄」、および「課題を解決するための手段の欄」に示される部材に付記している。ただ、実用新案登録請求の範囲に示される部材を、実施例の部材に特定するものでは決してない。
【００１２】
図２と図３に示す歯ブラシは、先端にブラシ１６を固定している脱着ブラシ部１と、この脱着ブラシ部１を脱着できるように連結すると共に、内部に練り歯磨き２０を充填する充填室３を設けている本体部２とを備えている。この歯ブラシは、使用するときに、本体部２に充填している練り歯磨き２０をブラシ部１５に押し出し、押し出された練り歯磨き２０を使用してブラシ１６で歯磨きをする。
【００１３】
図の本体部２は、シリンダー４と外筒５を備えており、シリンダー４の内側に充填室３を設けて、その先端を開口部３Ａとしている。充填室３に充填している練り歯磨き２０は、ピストン６を操作して開口部３Ａから脱着ブラシ部１に押し出される。開口部３Ａから押し出される練り歯磨き２０は、脱着ブラシ部１に設けている排出路１７から先端のブラシ部１５に押し出される。
【００１４】
図の本体部２は、シリンダー４の外側に外筒５を設けている。この外筒５は、シリンダー４よりも後端に突出している。さらに外筒５は、その内径をシリンダー４の外径にほぼ等しくして、シリンダー４を脱着できるように挿入している。シリンダー４は、脱着できるように外筒５に挿入しているが、所定の力よりも強い力で押さないと、外筒５からでないようにしている。外筒５は、シリンダー４よりも後端に突出する。また、シリンダー４は、外筒５よりも先端に突出している。すなわち、本体部２は、後端部では外筒５がシリンダー４よりも突出しているが、先端部では外筒５よりもシリンダー４が突出している。図の本体部２は、外筒５の後端部の突出量とシリンダー４の先端部の突出量を特定するために、シリンダー４の後端部と外筒５の内面とに段差部を設けており、互いの段差部を当接させてシリンダー４と外筒５とを所定の位置で連結している。シリンダー４は、後端部の外側に位置決キャップ９を装着して固定しており、この位置決キャップ９の外径をシリンダー４の外径よりも大きくして段差部を設けている。外筒５は、中間部を境にして内径の異なる内面形状として段差部を設けている。外筒５は、先端側の内径をシリンダー４の外径とほぼ等しくすると共に、後端側の内径をシリンダー４の後端部に固定された位置決キャップ９の外径とほぼ等しくしている。ただ、外筒は、必ずしも内径の異なる内面形状とする必要はなく、一様な厚さの筒体として内面に凸部を固定して設けて、この凸部と位置決キャップとでシリンダーと外筒との相対位置を特定することもできる。この外筒は、凸部の突出高さや材質でシリンダーとの連結強度を調整できる。
【００１５】
さらに、本体部２は、外筒５から突出しているシリンダー４の先端部に、キャップ１９を脱着できるように挿入して連結する。キャップ１９は、脱着ブラシ部１をカバーする筒状で、外筒５の外径に等しくしている。この歯ブラシは、本体部２にキャップ１９を連結すると、全体を同じ太さの円柱状にできる。キャップ１９は、シリンダー４の先端部に挿入するので、その内径をシリンダー４の外径にほぼ等しくしている。本体部２に連結されたキャップ１９は、脱着ブラシ部１をカバーするように本体部２に被着される。
【００１６】
ピストン６は、先端を充填室３に配設して、後端を本体部２の後端まで延長している。ピストン６は、押出ロッド７の先端に、シリンダー４内を隙間なく摺動して、充填室３の練り歯磨き２０を押し出す押出プレート８を設けている。押出プレート８は、硬質プレート８Ａの前面に板状の軟質パッキン８Ｂを設けている。軟質パッキン８Ｂの外径はシリンダー４の内径にほぼ等しく、シリンダー４の内面に弾性的に押圧されて隙間なくシリンダー４の内面を摺動して、練り歯磨き２０を圧送する。ただ、押出プレート８は、図５に示すように、硬質プレート８Ａの周囲に沿って軟質パッキン８Ｂを設けることもできる。この硬質プレート８Ａは外周面に沿って溝を設けており、この溝にリング状の軟質パッキン８Ｂを装着している。この押出プレート８も、軟質パッキン８Ｂをシリンダー４の内面に弾性的に押圧させて、隙間なくシリンダー４の内面を摺動して練り歯磨き２０を圧送する。ピストン６の後端は、本体部２の後端である外筒５の後端まで延長している。図の歯ブラシは、ピストン６を押圧しない状態で、ピストン６の後端を本体部２、すなわち外筒５の後端と同一平面としている。
【００１７】
ピストン６は、弾性的に伸縮するコイルスプリング１０を介して本体部２に連結している。コイルスプリング１０は、ピストン６を押圧しない状態で、図に示す復帰位置、すなわちピストン６の後端を本体部２である外筒５の後端に位置させる。図の歯ブラシは、ピストン６の押出ロッド７に凸部１２を設け、シリンダー４の後端部に固定された位置決キャップ９に、押出ロッド７の凸部１２に当接してピストン６の後退を停止させるストッパ部１１を設けている。図の押出ロッド７は、中間部を境として太さの異なる異径ロッドで、外径の太い側をシリンダー４内に配設すると共に、外径の細い側をシリンダー４の後端から突出させている。この押出ロッド７は、異径ロッドの段差部をストッパ部１１に当接する凸部１２としている。この押出ロッド７は、全体をプラスチックで成形して安価に多量生産できる。ただ、押出ロッドは、必ずしも異径ロッドとする必要はなく、一様な太さのロッドとして、外周面に突起や凸条を設けて凸部を形成するすることもできる。位置決キャップ９は、筒状の筒部９Ａの端面に、貫通孔９Ｃを有する円盤部９Ｂを連結した形状である。筒部９Ａは、シリンダー４の後端部に装着できる内径を有する。円盤部９Ｂの貫通孔９Ｃは、押出ロッド７の後端側を通過できるが凸部１２を通過できない大きさに開口されており、この開口部をストッパ部１１としている。この形状の位置決キャップ９は、円盤部９Ｂの貫通孔９Ｃに押出ロッド７を挿通する状態でシリンダー４の後端部に装着されて、ピストン６を前後に移動できる状態とする。この構造の歯ブラシは、押出ロッド７の凸部１２をシリンダー４の後端面に設けたストッパ部１１に当て、後退位置を特定できるので、ピストン６の後端を本体部２である外筒５の後端に正確に停止できる特長がある。ただ、本考案の歯ブラシは、必ずしもピストンに凸部を設ける必要はなく、コイルスプリングでピストンを復帰位置に停止させることもできる。
【００１８】
コイルスプリング１０は、一端をピストン６の先端に配設された押出プレート８に連結して、他端をシリンダー４の後端部に連結している。コイルスプリング１０は、図４に示すように、後端部を折曲加工して外側に突出する複数の連結部１０Ａを設けている。図のコイルスプリングは、３つの連結部１０Ａを等間隔に設けている。シリンダー４の後端面には、これらの連結部１０Ａを挿入する切欠部４Ａを設けている。このコイルスプリングは、シリンダー４の切欠部４Ａに連結部１０Ａを挿入する状態で位置決キャップ９が装着されてシリンダー４の後端部に連結される。シリンダー４に装着される位置決キャップ９は、たとえば、接着して外れないように固定される。ただ、位置決キャップ９は、図５に示すように凸部と凹部からなる嵌着構造で連結して固定することも、図６に示すように雄ねじと雌ねじを設けて固定することもできる。
【００１９】
コイルスプリング１０は、ピストン６を弾性的に後退させて、ピストン６を図に示す復帰位置に移動させる。したがって、コイルスプリング１０は、弾性的に伸長される状態で、ピストン６とシリンダー４とに連結される。弾性的に伸長しているコイルスプリング１０は、弾性的な収縮しようとする力で、ピストン６を後退させて、ピストン６の凸部１２をシリンダー４のストッパ部１１に当接させて、ピストン６を復帰位置に停止させる。ストッパ部のない歯ブラシは、ピストンが復帰位置にあるときにコイルスプリングが伸縮しない状態となるように、ピストンとシリンダーに連結される。
【００２０】
ピストン６は、後端に押圧部１３を設けている。押圧部１３は、リング形状の筒体で、中心部に設けた連結部１３Ａである中心孔に押出ロッド７の後端部を挿入して固定している。押圧部１３の中心孔は、押出ロッド７の後端部の外径とほぼ等しい内径としている。この押圧部１３は、押出ロッド７を挿通した状態で、押圧部１３と押出ロッド７とを貫通する連結ピン２１が挿入されて互いに連結される。さらに、押圧部１３は、外筒５の内径よりも小さい外径を有し、外筒５の内面に沿って、スムーズに移動できるようにしている。図のピストン６は、１本のロッドである押出ロッド７の先端に押出プレート８を、後端に押圧部１３を連結して固定している。ただし、ピストンは、押出プレートを分離する構造とすることもできる。押出プレート８を分離しているピストン６は、図５の断面図に示すように、押出ロッド７と押出プレート８との間に、中間材１４を配設する。中間材１４は、押出ロッド７や押出プレート８と連結する必要はない。それは、押出プレート８にコイルスプリング１０を連結することにより、コイルスプリング１０を介して押出プレート８と押出ロッド７との間に挟着して配設されるからである。
【００２１】
以上の実施例の歯ブラシは、シリンダー４の内部にコイルスプリング１０を配設している。このように、シリンダー４に内蔵されるコイルスプリング１０は、弾性的な収縮しようとする力で、ピストン６を復帰位置まで後退させる。ただ、本考案の歯ブラシは、コイルスプリングを必ずしもシリンダーに内蔵させる必要はなく、図６に示すように、シリンダー４の外部に配設することもできる。この図に示す本体部２は、シリンダー４の後端から突出する押出ロッド７をコイルスプリング１０に挿通している。押出ロッド７の後端には押圧部１３を連結しており、シリンダー４の後端部に固定された位置決キャップ９の円盤部９Ｂと押圧部１３との間にコイルスプリング１０を配設している。このコイルスプリング１０は、弾性的に収縮される状態で、ピストン６とシリンダー４とに連結される。弾性的に収縮しているコイルスプリング１０は、弾性的な伸長しようとする力で、ピストン６を後退させて、ピストン６の凸部１２をシリンダー４のストッパ部１１に当接させて、ピストン６を復帰位置に停止させる。したがって、このコイルスプリング１０も、ピストン６を弾性的に後退させて、ピストン６を図に示す復帰位置に移動させる。このように、コイルスプリング１０をシリンダー４の外部に配設する構造は、シリンダー４内に設けられる充填室３を広くできる特長がある。
【００２２】
さらに、図７に示す歯ブラシは、本体部２が、シリンダー４の外側に配設されて、シリンダー４に軸方向に移動できるように連結している外筒５を備える。この外筒５は、シリンダー４の外形とほぼ等しい内形を有する筒体で、シリンダー４を軸方向に移動できるように挿入している。この外筒５は、後端に、シリンダー４の後端に突出するピストン６の後端を連結している。外筒５の後端とピストン６の後端は、押圧部１３を介して連結している。押圧部１３は、外周部を外筒５の後端部に連結すると共に、中心部の連結部１３Ａにピストン６の押出ロッド７の後端を連結して、ピストン６の後端と外筒５の後端を連結している。さらに、この歯ブラシは、シリンダー４の後端と外筒５の後端との間に、押しバネのコイルスプリング１０を配設している。コイルスプリング１０は、押出ロッド７の後端に連結された押圧部１３と、シリンダー４の後端部に固定された位置決キャップ９との間に配設している。コイルスプリング１０は、シリンダー４の後端から突出する押出ロッド７が挿通されて、所定の姿勢に保持されている。押しバネであるコイルスプリング１０は、外筒５がシリンダー４の前方に押圧されると弾性的に収縮される。収縮されたコイルスプリング１０は、弾性的な伸長しようとする力で、外筒５をシリンダー４の後方へ押圧する。したがって、この歯ブラシは、外筒５の押圧が解除されると、押しバネであるコイルスプリング１０で外筒５をシリンダー４の後方に弾性的に押し出して、外筒５を復帰位置に後退させる。
【００２３】
コイルスプリング１０で後退される外筒５は、所定の位置で停止される。図の歯ブラシは、コイルスプリング１０で後退される外筒５を所定の位置で停止させるために、シリンダー４の後端に、ピストン６の後退を停止させるストッパ部１１を設けている。図の歯ブラシは、シリンダー４の後端部に位置決キャップ９を固定しており、この位置決キャップ９にストッパ部１１を設けてピストン６の後退を停止している。この図に示す位置決キャップ９は、貫通孔９Ｃを有する筒状の筒部９Ａの端面に、円盤部９Ｂを設けた形状である。筒部９Ａは、シリンダー４の後端の内側に挿入して連結できる形状としている。筒部９Ａの貫通孔９Ｃは、押出ロッド７を通過できるが押出シール部８を通過できない大きさに開口されており、この開口部をストッパ部１１としている。この構造の歯ブラシは、ピストン６の押出プレート８をシリンダー４の後端に固定した位置決キャップ９のストッパ部１１に当接させて、ピストン６の後退位置を特定するので、後退するピストン６を正確に停止できる。さらに、ピストン６は、後端が外筒５に連結されているので、後退位置が特定されるピストン６によって外筒５の後退位置が特定される。
【００２４】
以上の実施例の歯ブラシは、コイルスプリング１０を使用してピストン６を復帰位置に後退させている。コイルスプリングは、線材の材質、線材の太さ、巻径、巻数、全長等で弾性特性を調整できるので、最適な弾性力となるように設計して、理想的な状態でピストンを後退できる特長がある。
【００２５】
脱着ブラシ部１は、先端にブラシ１６を固定している。このブラシ部１５に練り歯磨き２０を供給するために、内部に排出路１７を設けている。排出路１７は、脱着ブラシ部１の後端を先端のブラシ部１５に連結して、後端に供給される練り歯磨き２０をブラシ部１５に供給する。図の脱着ブラシ部１は、本体部２に連結する部分を円筒状として、後端を本体部２のシリンダー４の先端に挿入して連結する。脱着ブラシ部１は、後端部をシリンダー４に連結する状態で、シリンダー４と同じ太さとなるようにしている。したがって、本体部２のシリンダー４は、脱着ブラシ部１との連結部分４Ｂを細くしている。脱着ブラシ部１の後端部の内径は、この連結部分４Ｂの外径に等しく、また、脱着ブラシ部１の後端部の外径は連結部分４Ｂでないシリンダー４の本体部分の外径に等しくしている。脱着ブラシ部１とシリンダー４は、互いの連結部分に雄ねじと雌ねじを設けて、ねじ止めして連結できる。図に示すシリンダー４は、連結部分４Ｂの外周部に雄ねじを設けており、脱着ブラシ部１は、後端部の内面に雌ねじを設けている。このように、シリンダー４の先端部分の外周部に雄ねじを設ける構造は、この部分に練り歯磨きが付着するのを防止して、脱着ブラシ部１を確実に装着できる特長がある。ただ、脱着ブラシ部とシリンダーは、必ずしもねじを設けて連結する必要はなく、凸部と凹部からなる嵌着構造で脱着できるように連結することもできる。
【００２６】
以上の構造の歯ブラシは、以下のようにして使用される。
（１）　脱着ブラシ部１を本体部２から外し、本体部２の充填室３に練り歯磨き２０を充填する。
（２）　練り歯磨き２０を充填した後、本体部２に脱着ブラシ部１を連結する。使用しないときは、さらに脱着ブラシ部１にキャップ１９を被着する。
（３）　歯ブラシを使用するときは、キャップ１９を外し、本体部２の後端に設けているピストン６後端の押圧部１３を押してピストン６を前進させる。前進するピストン６は、充填室３に充填している練り歯磨き２０を充填室３から押し出す。押し出された練り歯磨き２０は、充填室３の開口部３Ａから脱着ブラシ部１の排出路１７に供給され、排出路１７を通過してブラシ部１５に押し出される。
（４）　その後、ピストン６後端の押圧部１３の押圧を解除すると、ピストン６はコイルスプリング１０で復帰位置まで後退される。後退するピストン６は、排出路１７からブラシ部１５に押し出されていた余分の練り歯磨き２０を吸入する。したがって、排出路１７の先端開口部１８には、練り歯磨き２０が残存しない状態となる。
（５）　この状態で歯磨きをして、歯磨きが完了してブラシ部１５を洗浄すると、ブラシ部１５の練り歯磨き２０は綺麗に除去される。
（６）　ブラシ部１５を洗浄した後、脱着ブラシ部１にキャップ１９を被着する。キャップ１９は、練り歯磨き２０の乾燥を防止すると共に、ブラシに塵等が付着するのを防止する。とくに、本考案の歯ブラシは、練り歯磨き２０を排出路１７に吸入する状態でキャップ１９を被着するので、練り歯磨き２０の乾燥、硬化を極めて有効に防止できる。
（７）　再び使用するときは、（３）〜（６）の工程を繰り返す。
【００２７】
さらに、本体部２の練り歯磨き２０がなくなると、（１）の工程で、脱着ブラシ部１を本体部２から外して、本体部２の充填室３に練り歯磨き２０を供給して再使用できる状態とする。さらにまた、長期間使用してブラシ部１５のブラシ１６が消耗してくると、脱着ブラシ部１を新しい物に交換することによって、再び、快適に使用できる。
【００２８】
さらに、本考案の歯ブラシは、各パーツを個々に分解できる構造として、リサイクルすることもできる。この歯ブラシは、以下のようにしてリサイクルできる。（１）　使用済みの歯ブラシを回収する。
（２）　回収した歯ブラシを分解して各パーツごとに分別する。
（３）　分別された各々のパーツを洗浄する。このとき、消耗が激しく再利用できないパーツや衛生面から再利用できないパーツ（たとえば、脱着ブラシ部）を廃棄する。
（４）　再利用するパーツと、再利用できずに新たに用意したパーツを組み合わせてリサイクルされた歯ブラシを製作する。
このようにして製造される歯ブラシは、さらに、製造コストを低減できるので、安価に販売できる特長がある。
【００２９】
【考案の効果】
本考案の歯ブラシは、余分な練り歯磨きがブラシの部分に残存することがなく、歯磨き後に洗浄して、簡単かつ容易に、しかも綺麗に余分の練り歯磨きを除去できる特長がある。それは、本考案の歯ブラシが、先端にブラシを固定している脱着ブラシ部を、内部の充填室に練り歯磨きを充填している本体部に脱着できるように連結しており、充填室の練り歯磨きを、ピストンを押して脱着ブラシ部のブラシ部に押し出すと共に、ピストンの押圧を解除する状態では、コイルスプリングでピストンを復帰位置に後退させて、ブラシ部から押し出した余分な練り歯磨きを吸入するようにしているからである。この構造の歯ブラシは、練り歯磨きをピストンで押し出した後、コイルスプリングによってピストンが復帰位置に後退されるので、充填室内の圧力が低下して、ブラシ部から押し出した余分な練り歯磨きが吸入されてブラシの部分に残存することがない。したがって、本考案の歯ブラシは、歯磨き後に洗浄して、簡単かつ容易に、しかも綺麗に余分な練り歯磨きを除去できる。このように、余分な練り歯磨きがブラシ部分に残存しない本考案の歯ブラシは、練り歯磨きが排出口の近傍で硬化するのを有効に防止して、常にスムーズに練り歯磨きを押し出しできる特長がある。さらにまた、本考案の歯ブラシは、本体部の練り歯磨きがなくなると、脱着ブラシ部を本体部から外して、充填室に練り歯磨きを供給できるので、長期間にわたって便利に使用できる特長もある。
【図面の簡単な説明】
【図１】従来の歯ブラシを示す断面図
【図２】本考案の一実施例にかかる歯ブラシの分解側面図
【図３】図２に示す歯ブラシの断面図
【図４】図３に示す歯ブラシのシリンダーの後端面を示す底面図
【図５】本考案の他の実施例にかかる歯ブラシの断面図
【図６】本考案の他の実施例にかかる歯ブラシの断面図
【図７】本考案の他の実施例にかかる歯ブラシの断面図
【符号の説明】
１…脱着ブラシ部
２…本体部
３…充填室　　　　　　　３Ａ…開口部
４…シリンダー　　　　　４Ａ…切欠部　　　　　　４Ｂ…連結部分
５…外筒
６…ピストン
７…押出ロッド
８…押出プレート　　　　８Ａ…硬質プレート　　　８Ｂ…軟質パッキン
９…位置決キャップ　　　９Ａ…筒部　　　　　　　９Ｂ…円盤部
９Ｃ…貫通孔
１０…コイルスプリング　１０Ａ…連結部
１１…ストッパ部
１２…凸部
１３…押圧部　　　　　　１３Ａ…連結部
１４…中間材
１５…ブラシ部
１６…ブラシ
１７…排出路
１８…先端開口部
１９…キャップ
２０…練り歯磨き
２１…連結ピン
３０…柄
３１…蛇腹容器
３２…突起
３３…溝
【図１】
0003097948.tif 000003
【図２】
0003097948.tif 000004
【図３】
0003097948.tif 000005
【図４】
0003097948.tif 000006
【図５】
0003097948.tif 000007
【図６】
0003097948.tif 000008
【図７】
0003097948.tif 000009